【手続補正書】
【提出日】平成19年5月29日(2007.5.29)
【手続補正１】
【補正対象書類名】特許請求の範囲
【補正対象項目名】全文
【補正方法】変更
【補正の内容】
【特許請求の範囲】
【請求項１】
ギア添加剤組成物の全塩基価の全酸価に対する比率は約０．９４以上である窒素含有化
合物とリン含有化合物を含んで成るギア添加剤組成物。
【請求項２】
添加剤組成物がトップトリートである請求項１に記載のギア添加剤組成物。
【請求項３】
‐ギア添加剤組成物の全塩基価の全酸価に対する比率は約０．９４以上であり、窒素含
有化合物とリン含有化合物を含んで成るギア添加剤組成物；および
‐硫黄含有化合物とリン含有化合物と窒素含有化合物の反応生成物を含んでなるギア潤滑
剤組成物。
【請求項４】
反応生成物が化学式（ＩＩＩ）および（ＶＩ）の化合物の少なくとも一つである請求項
３に記載のギア潤滑剤組成物：
【化１】
2007131855.tif 000001
式中ｎは１から５の整数であり；また
Ｒ1、Ｒ2、Ｒ3、Ｒ4、Ｒ5、Ｒ6、Ｒ7、Ｒ8、Ｒ9、Ｒ10、およびＲ11は、水素、シアノ、および約１から約３０の炭素原子を含んだヒドロカルビル基から成るグループから独立して選択される。
【請求項５】
請求項３に記載の潤滑剤組成物を潤滑剤として使用することを含んで成る、車のギアの
潤滑方法。
【請求項６】
請求項３による潤滑剤組成物を車のギアに添加することを含んで成る、車のギアの摩耗
保護性を向上する方法。
【請求項７】
請求項３による潤滑剤組成物を車のギアに添加することを含んで成る、車のギアのうな
り音を低減する方法。
【請求項８】
請求項３に記載の潤滑剤組成物を潤滑剤として使用することを含んで成る、車軸の潤滑
方法。
【請求項９】
請求項３による潤滑剤組成物を車軸に添加することを含んで成る、車軸の摩耗保護性を
向上する方法。
【請求項１０】
請求項３による潤滑剤組成物を車軸に添加することを含んで成る、車軸のうなり音を低減
する方法。
【請求項１１】
請求項３による潤滑剤組成物でギアを潤滑することを含んで成る、潤滑されたギアセッ
トおよび潤滑されていないギアセットによってＡＳＴＭ  Ｄ６１２１に合格する方法。
【請求項１２】
請求項３による潤滑剤組成物でギアを潤滑することを含んで成る、潤滑されていないギ
アセットによってＡＳＴＭ  Ｄ６１２１に合格する方法。
【請求項１３】
請求項３による潤滑剤組成物でギアを潤滑することを含んで成る、ＧＬ−５および／ま
たはＳＡＥＪ２３６０性能を維持する方法。
【請求項１４】
基油；全塩基価の全酸価に対する比率が約０．９４以上であるような、窒素含有化合物
とリン含有化合物を含んで成るギア添加剤組成物；および窒素含有化合物と、亜リン酸ネ
オペンチルグリコールと、硫黄含有化合物との反応生成物；を含んでなる潤滑剤組成物。
【請求項１５】
亜リン酸ネオペンチルグリコールと比べて向上された耐摩耗性を有する請求項１４に記
載の潤滑剤組成物。
【請求項１６】
基油；ギア添加剤組成物の全塩基価の全酸価に対する比率が約０．９４以上である、窒
素含有化合物とリン含有化合物を含んで成るギア添加剤組成物；および硫黄含有化合物と
リン含有化合物と窒素含有化合物の反応生成物；を混合することを含んで成るギア潤滑剤
組成物の製造方法。
【請求項１７】
請求項３によるギア添加剤組成物を直接車軸に添加することを含んで成る、車軸の処理
方法。
【請求項１８】
請求項３によるギア添加剤組成物を直接ギア潤滑剤組成物に添加することを含んで成る
、ギア潤滑剤組成物の処理方法。
【手続補正２】
【補正対象書類名】明細書
【補正対象項目名】００５０
【補正方法】変更
【補正の内容】
【００５０】
例示的な態様において、ギア潤滑剤組成物は、以下の化学式（ＩＩ）、（ＩＩＩ）、（
Ｖ）、および（ＶＩ）の化合物のうちの少なくとも一つから成る：
【化５】
2007131855.tif 000002
式中ｎは１から５の整数であり；また
Ｒ1、Ｒ2、Ｒ3、Ｒ4、Ｒ5、Ｒ6、Ｒ7、Ｒ8、Ｒ9、Ｒ10、およびＲ11は、水
素、シアノ、および約１から約３０の炭素原子、例えば約１から約２０の炭素原子、そし
てさらなる例としては約１から約１０の炭素原子を含んだヒドロカルビル基から成るグル
ープから個々に選択されている。
【手続補正３】
【補正対象書類名】明細書
【補正対象項目名】００８２
【補正方法】変更
【補正の内容】
【００８２】
本発明の主な特徴及び態様を挙げれば以下のとおりである。
１．ギア添加剤組成物の全塩基価の全酸価に対する比率は約０．９４以上である窒素含有
化合物とリン含有化合物を含んで成るギア添加剤組成物。
２．窒素含有化合物がアミンである上記１に記載のギア添加剤組成物。
３．アミンがＣ14−Ｃ24の第３級アルキル１級アミンの混合物である上記２に記載の
ギア添加剤組成物。
４．リン含有化合物がホスホン酸ジアルキルおよびホスホン酸モノアルキルのうち少なく
とも一つである上記１に記載のギア添加剤組成物。
５．リン含有化合物がオクタデシルホスホン酸ジメチルエステルおよびオクタデシルホス
ホン酸メチルエステルのうち少なくとも一つである上記１に記載のギア添加剤組成物。６
．さらに主要量の基油を含んで成る、上記１に記載のギア添加剤組成物。
７．全塩基価と全酸価の比率が約０．９４から約１．２５である上記１に記載のギア添加
剤組成物。
８．添加剤組成物がトップトリートである上記１に記載のギア添加剤組成物。
９．‐ギア添加剤組成物の全塩基価の全酸価に対する比率は約０．９４以上であり、窒素
含有化合物とリン含有化合物を含んで成るギア添加剤組成物；および
‐硫黄含有化合物とリン含有化合物と窒素含有化合物の反応生成物を含んでなるギア潤滑
剤組成物。
１０．ギア潤滑剤組成物が約２重量パーセントから約１０重量パーセントのギア添加剤組
成物を含んで成る上記９に記載のギア潤滑剤組成物。
１１．反応生成物が化学式（ＩＩＩ）および（ＶＩ）の化合物の少なくとも一つである上
記９に記載のギア潤滑剤組成物：
【化６】
2007131855.tif 000003
式中ｎは１から５の整数であり；また
Ｒ1、Ｒ2、Ｒ3、Ｒ4、Ｒ5、Ｒ6、Ｒ7、Ｒ8、Ｒ9、Ｒ10、およびＲ11は、水
素、シアノ、および約１から約３０の炭素原子を含んだヒドロカルビル基から成るグルー
プから独立して選択される。
１２．化学式（ＶＩ）において、Ｒ1とＲ2はメチル；Ｒ3、Ｒ4、Ｒ5、Ｒ6、Ｒ7、
およびＲ8は水素；Ｒ9はＣ12-14の第３級アルキル基；またＲ10とＲ11は約１
から約６の炭素原子を含んで成るアルキル基である上記１１に記載のギア潤滑剤組成物。
１３．化学式（ＩＩＩ）において、Ｒ3、Ｒ4、Ｒ5、Ｒ6、Ｒ7、およびＲ8は水素；
Ｒ1とＲ2はメチル；またＲ9はＣ12-14の第３級アルキル基である上記１１に記載
のギア潤滑剤組成物。
１４．反応生成物が、潤滑剤組成物の総重量に対し、約０．２５重量％から約５０重量％
の量で潤滑剤組成物中に存在している上記９に記載のギア潤滑剤組成物。
１５．さらに、鉱油、合成油、およびそれらの混合物の中から選択された基油を含んで成
る上記９に記載のギア潤滑剤組成物。
１６．さらに、耐摩耗剤、分散剤、希釈剤、消泡剤、乳化破壊剤、発泡防止剤、腐食防止
剤、極圧添加剤、酸化防止剤、流動点降下剤、シール膨張剤、防錆剤、および摩擦調整剤
の中から選択された少なくとも一つの添加剤を含んで成る上記９に記載のギア潤滑剤組成
物。
１７．上記９に記載の潤滑剤組成物を潤滑剤として使用することを含んで成る、車のギア
の潤滑方法。
１８．上記９による潤滑剤組成物を車のギアに添加することを含んで成る、車のギアの摩
耗保護性を向上する方法。
１９．上記９による潤滑剤組成物を車のギアに添加することを含んで成る、車のギアのう
なり音を低減する方法。
２０．上記９に記載の潤滑剤組成物を潤滑剤として使用することを含んで成る、車軸の潤
滑方法。
２１．上記９による潤滑剤組成物を車軸に添加することを含んで成る、車軸の摩耗保護性
を向上する方法。
２２．上記９による潤滑剤組成物を車軸に添加することを含んで成る、車軸のうなり音を
低減する方法。
２３．上記９による潤滑剤組成物でギアを潤滑することを含んで成る、潤滑されたギア
セットおよび潤滑されていないギアセットによってＡＳＴＭ  Ｄ６１２１に合格する方法
。
２４．上記９による潤滑剤組成物でギアを潤滑することを含んで成る、潤滑されていない
ギアセットによってＡＳＴＭ  Ｄ６１２１に合格する方法。
２５．上記９による潤滑剤組成物でギアを潤滑することを含んで成る、ＧＬ−５および／
またはＳＡＥＪ２３６０性能を維持する方法。
２６．基油；全塩基価の全酸価に対する比率が約０．９４以上であるような、窒素含有化
合物とリン含有化合物を含んで成るギア添加剤組成物；および窒素含有化合物と、亜リン
酸ネオペンチルグリコールと、硫黄含有化合物との反応生成物；を含んでなる潤滑剤組成
物。
２７．亜リン酸ネオペンチルグリコールと比べて向上された耐摩耗性を有する上記２６に
記載の潤滑剤組成物。
２８．基油；ギア添加剤組成物の全塩基価の全酸価に対する比率が約０．９４以上である
、窒素含有化合物とリン含有化合物を含んで成るギア添加剤組成物；および硫黄含有化合
物とリン含有化合物と窒素含有化合物の反応生成物；を混合することを含んで成るギア潤
滑剤組成物の製造方法。
２９．上記９によるギア添加剤組成物を直接車軸に添加することを含んで成る、車軸の処
理方法。
３０．上記９によるギア添加剤組成物を直接ギア潤滑剤組成物に添加することを含んで成
る、ギア潤滑剤組成物の処理方法。